(57)【要約】【課題】所望個数の土ふるいを重合して、水平状に往復動または回動させることにより、粒度の異なる複数種類の土を一度にふるい分けることができ、また片手のみを用いて簡単容易に作業を行うことができる園芸用土ふるい具を提供する。【解決手段】複数個の土ふるい３０を収容するホルダー１０を、環状の本体部１１と土ふるいを保持するための保持部材１２とハンドル１３とにより形成し、またそのホルダー１０を着脱自在に載置するスタンド２０を、大略方形台状に形成した台座２１と、その台座２１の上部内側に取付けた少なくとも２本のガイドフレーム２２とにより形成する。【選択図】図１
2007105711.tif 000002
【特許請求の範囲】
【請求項１】
網目の大きさの異なる複数個の土ふるいを重合して収容するホルダーを、別体に設けたスタンドに着脱自在に載置し、そのホルダーを水平状に往復動可能に形成した園芸用土ふるい具において、前記ホルダーを、格子状の底を有する環状の木体部と、複数個の土ふるいを保持するために立設された複数本の保持部材と、本体部の前部に設けられたハンドルとにより形成し、また前記スタンドを、下部が拡開した鉄棒状に設けた台座フレームと直線状の連結フレームを用いて大略方形台状に形成した台座と、その台座の上部内側に取付けた少なくとも２本のガイドフレームとにより形成したことを特徴とする園芸用土ふるい具。
【請求項２】
上記したガイドフレームが、上部が開口した倒コ字状に形成されたことを特徴とする請求項１に記載の園芸用土ふるい具。
【請求項３】
上記したホルダーの本体部に格子状の底を設けずに、保持部材の下部を内側へ折り曲げて土ふるい受け部を形成したことを特徴とする請求項１に記載の園芸用土ふるい具。
【請求項４】
上記した台座の上部に、水平状に往復動するホルダーの脱落防止フレームを設けたことを特徴とする請求項１に記載の園芸用土ふるい具。
【発明の詳細な説明】
【技術分野】
【０００１】  本発明は、網目の大きさの異なる複数個の土ふるいを重合してふるうことにより、粒度の異なる土を一度にふるい分けることができる園芸用土ふるい具に関するものである。
【背景技術】
【０００２】  従来、粒度の異なる土を一度に得ることができる園芸用の土ふるい用品としては、その中央部に１本の支軸を差し渡した楕円形状の台枠に、３本のガイド部材と把手を設けた円環状のふるい支えを置き、そのふるい支えを、前記支軸を支点として上下方向に揺動させるように構成した園芸用土ふるい台がある（例えば、特許文献１参照。）。
【特許文献１】実開昭５８−１３７４８１号公報（第３−５頁、第１図）
【発明の開示】
【発明が解決しようとする課題】
【０００３】  上記した園芸用土ふるい台は、複数個の土ふるいを保持したふるい支えを、支軸を支点として上下に揺動、往復動あるいは回動しつつ同時にふるうように構成されているが、この場合の往復動あるいは回動は、ふるい支えを１本の支軸のみで支えながら行うために、水平状態を維持することが非常に困難であり、結果的に上下方向へ揺動しながら往復動あるいは回動させることになる。このようにふるい支えを上下に揺動させる行為は、使用者の体力消耗が大きいので、作業性が極めて悪いという顕著な欠点があり、また一方の手で台枠を押え、他方の手でふるい支えを揺動させる作業方法は、女性や子供、高齢者にとって使用し難いという問題点もあった。【０００４】  そこで本発明は、複数個の土ふるいを保持して水平状に往復動または回動させることにより、粒度の異なる複数種類の土を一度に得ることができ、且つその作業性の向上も図ることができるとともに、作業用スタンドを安定した形状とすることにより、片手のみで簡単容易にふるい分け作業を行うことができる園芸用土ふるい具の提供を目的とするものである。
【課題を解決するための手段】
【０００５】  上記の目的を達成するため、請求項１に記載の本発明は、網目の大きさの異なる複数個の土ふるいを重合して収容するホルダーを、別体に設けたスタンドに着脱自在に載置し、そのホルダーを水平状に往復動可能に形成した園芸用土ふるい具であって、前記ホルダーを、格子状や十字状、二の字状、三の字状等（本発明では、これらを一括して格子状と称する）の底を有する環状の本体部と、複数個の土ふるいを保持するために立設された複数本の保持部材と、本体部の前部に設けられたハンドルとにより形成し、また前記スタンドを、その脚部をハ字状に拡開し、且つ該脚部の相対向する上端同志を横軸部で連結してほぼ鉄棒状（本発明では、これを下部が拡開した鉄棒状と称する）に設けた台座フレームと直線状の連結フレームを用いて大略方形台状に形成した台座と、その台座の上部内側に取付けた少なくとも２本のガイドフレームとにより形成した構成とするものである。【０００６】  請求項２に記載の本発明は、上記したガイドフレームを、上部が開口した倒コ字状に形成した構成とするものである。【０００７】  請求項３に記載の本発明は、上記したホルダーの本体部に格子状の底を設けずに、保持部材の下部を内側へ折り曲げて土ふるい受け部を形成した構成とするものである。【０００８】  請求項４に記載の本発明は、上記した台座の上部に、水平状に往復動するホルダーの脱落防止フレームを設けた構成とするものである。
【発明の効果】
【０００９】  本発明の園芸用土ふるい具は、網目の大きさの異なる所望数の土ふるいを重合し、その複数の土ふるいを水平状に往復動または回動させることにより、例えば３個の土ふるいを重合した場合には粒度の異なる４種類の土が得られるというように、一度の作業で、土ふるいの数プラス１種類の土をふるい分けることができ、またこれにより作業に要する時間を著しく短縮することができるという大きな効果を有するとともに、片手のみで簡単容易に作業可能な構造となっているので、非常に効率良く少ない労力で作業を行うことができるという従来にない顕著な効果を奏するものである。さらに本発明における実施例１のホルダーは底が格子状となっているので、このホルダー内に収容可能な土ふるいであれば、やや小さめのものでも対応することができるという長所があり、またスタンドの台座を、下部が拡開した鉄棒状の台座フレームと連結フレームを用いて、安定性のよい方形台状に形成しているので、ふるい作業中にスタンドが倒れるようなことがなく、安全且つ迅速に作業を行うことができるという特長がある。なおまた本発明品は、すべての構成部を金属製丸棒または金属製帯板によって形成しており、製造コストを低減することができるので、廉価な製品を市場に提供することも可能である。
【発明を実施するための最良の形態】
【００１０】  複数個の土ふるいを保持可能なホルダーを、大略方形台状に形成したスタンドに着脱自在に載置するようにした園芸用の土ふるい具であって、前記したホルダーの底を十字状または格子状に形成し、また前記したスタンドの上部内側に、上部が開口した倒コ字状のガイドフレームを、少なくとも２本設けた形態とする。
【実施例１】
【００１１】  以下に、本発明の第１の実施例を図面に基いて説明するが、図１は、３段に重ねた土ふるい３０をホルダー１０に収容し、そのホルダー１０をスタンド２０に載置した状態の斜視図である。また図２は、ホルダー１０の形状を示す斜視図であり、図３は、スタンド２０の形状を示す斜視図である。さらに図４は、図１のようにセットされた本発明に成る土ふるい具の使用状態を示す一部切欠正面図である。また本発明におけるホルダー１０およびスタンド２０は、総ての構成部を、金属製丸棒を用いて形成するが、または幅狭な金属製帯板を用いて形成されるものであるが、本実施例においては、ほぼ総ての構成部を金属製丸棒によって形成した例を示している。【００１２】  上記したホルダー１０は、本体部１１と土ふるい用の保持部材１２とハンドル１３とにより形成されたものである。この場合の本体部１１は、それぞれ同形の環状に設けた上縁リング１１ａと下縁リング１１ｂを、後述する保持部材１２およびハンドル１３に固着するとともに、格子状または十字状、二の字状、三の字状のように、棒体を下縁リング１１ｂの対向部位に差し渡して形成した底１１ｃを有した形状となっている。なお本実施例では本体部１１を上下のリングと十字状の底のみで形成しているが、例えばやや幅広の金属製帯板を環状に形成し、高さの低い円筒形に形成するようにしてもよい。また本例では底１１ｃを十字状に形成しているが、十字状よりも目の細かい格子状にしたり、二の字状、三の字状にしたりすることは全く任意である。【００１３】  上記した本体部１１の内側部の適所には、複数本（本例では３本）の保持部材１２が立設されているが、本実施例における保持部材１２は、図示のように、土ふるいを３個重ねた場合の高さ寸法とほぼ同一の長さに形成されたものであり、金属製丸捧を細長い逆Ｕ字状に折り曲げ、その上端部分をそれぞれやや外方へ押し広げた形状となっている。保持部材１２をこのように形成することにより、保持する土ふるい３０をホルダー１０内に迅速且つ容易に収容し、またふるい作業中における重合状態を維持する役目を担うことができるようになっている。【００１４】  また該保持部材１２の形状は、前述した逆Ｕ字状に限定するものではない。すなわち直線状に設けた３本の金属製丸棒を適宜な間隔を置いて垂直状に立設した形状や、垂直状に立設した上端部分をそれぞれ外方へ押し広げた形状としてもよく、さらには金属製帯板を用いて、丸棒の場合と同様に、直線状または上端部分を外方へ押し広げた形状とするようにしてもよい。【００１５】  また本体部１１の前部には、図示のように逆Ｌ字状に突出したハンドル１３が取付けられている。このハンドル１３は、ホルダー１０を水平状に往復動または回動させてふるい作業を行う場合に、作業者が片手で持つように設けられたものである。【００１６】  さらに図３に示すスタンド２０は、大略方形台状に形成された台座２１と、その台座２１に取付けられるガイドフレーム２２を備えたものである。なお図２および図３で比較されるように、スタンド２０は、その安定性を高めために、ホルダー１０よりもやや太い丸棒を用いて形成してあるが、この両者を、同一の太さのものを用いて形成してもよいことは勿論である。【００１７】  該台座２１は、その脚部をハ字状に拡開し、且つその相対向する上端同志を横軸部（以下、これを横フレーム２１ａ′と称する）で連結して、下部が拡開した鉄棒状（または下辺を有しない台形状）に設けた一対の台座フレーム２１ａ，２１ａを、図１および図３における前後側に配置し、また図における左右側は、平行状に配置した脚部の下端同志を、直線状に設けた２本の連結フレーム２１ｂ，２１ｂを用いてそれぞれ一体状に連結した形状となっており、台座全体の形状が、大略方形台状となるように形成されている。【００１８】  また上記した台座２１は、図における前後側および左右側のそれぞれを台形状に形成するようにしてもよい。すなわち後述する実施例３の台座２１として図６に示すように、上記した台座フレーム２１ａ，２１ａの脚部を、前後側と左右側のいずれにおいてもハ字状となるように配置し、前後側の相対向する脚部の間に補強フレーム２１ｃを取付け、台座フレーム２１ａ，２１ａを台形状に形成するとともに、左右側の相対向する脚部の下端同志を連結フレーム２１ｂで連結し、上辺部を有しない台形状に形成するものである。この場合に、台座フレーム２１ａ，２１ａに取付ける補強フレーム２１ｃを脚部の下端に取付けるのではなく、下端よりもやや上方に取付けるようにするとよい。台座２１の形状をこのようにすることにより、使用中に脚部が開いたり揺れたりすることを防止して安定性を高めることができるとともに、製品の積み重ねができるので梱包も小さくなり、流通面でもコストダウンとなるので好適である。【００１９】  さらに上記したガイドフレーム２２は、台座２１の内側上部すなわち両台座フレーム２１ａ，２１ａにおける横フレーム２１ａ′の間に差し渡した状態で固定されている。このガイドフレーム２２は、前述したホルダー１０を水平状に往復動または回動させるべく、少なくとも２本が取付けられたもので、各ガイドフレーム２２の形状は、ホルダー１０の本体部１１の下半部または全体を、前記横フレーム２１ａ′の位置よりも下方に納置できるように、上部が開口した倒コ字状に形成されたものである。なおこのガイドフレーム２２の数を本実施例では２本にしているが、３本あるいは４本にしても差支えなく、またこのガイドフレーム２２をコ字状ではなく直線状に設け、相対向する横フレーム２１ａ′の下端に差し渡して固定する構造等も、本発明における設計変更の範囲内である。【００２０】  公知の土ふるい３０は、網目の大きさの異なる複数個（本例では３個）を重合して使用するもので、最上位の土ふるい３１が最も網目が大きく、以下、土ふるい３２、土ふるい３３と下段になるほど網目が小さくなるようにセットされるものである。
【実施例２】
【００２１】  続いて図５を参照しながら本発明の第２の実施例について説明する。本実施例は、実施例１で示したホルダー１０の構造を変更するもので、本体部１１に格子状の底を設けずに保持部材１２の下端を延長し、その延長部分を内側に折り曲げて土ふるい受け部１２ａとするものである。またこの場合の下縁リング１１ｂは、土ふるい受け部１２ａの下面に固定されるものであり、またハンドル１３は図示のようにコ字状となっている。なお本実施例の場合においても、前実施例の場合と同様に、保持部材１２を、３本の金属製丸棒や金属性帯板を直線状に立設したり、その上端部分を外方へ押し広げる形状に形成してもよいことは勿論である。
【実施例３】
【００２２】  図６は、本発明の第３の実施例を示すものである。本実施例は、実施例１で示したスタンド２０の構造を変更するもので、台座２１の上部両端部位に円弧状の脱落防止フレーム２１ｄを設けるものである。この場合の脱落防止フレーム２１ｄは、ホルダー１０の往復動の範囲を限定するストッパーの役目を担うもので、ホルダー１０を２本のガイドフレーム２２上に載置した状態で往復動可能な限界位置に設けられるものとする。なおこの脱落防止フレーム２１ｄを円弧状ではなく直線状に形成してもよく、またその形成位置も、横フレーム２１ａ′と同一平面状ではなく横フレーム２１ａ′よりもやや下方に位置するようにしてもよい。なおまた台座２１の形状を、図３に示す形状とすることも自由である。【００２３】  次に、図１および図４を参照しながら、本発明の使用方法について説明する。まずホルダー１０の本体部１１の内部に、保持部材１２に案内されて３個の土ふるい３０を収容した後、そのホルダー１０をスタンド２０のガイドフレーム２２，２２の上に載置する。続いて、最上位の土ふるい３１に使用する土を投入し、ハンドル１３を片手で持って水平状に往復動あるいは回動させると、土ふるい３１には大粒子の土が残り、その網目を通過した土は中位の土ふるい３２に落下し、同時に行われるふるい作業によって中粒子の土が残る。またその土ふるい３２の網目を通過した土は最下位の土ふるい３３に落下し、同時に行われるふるい作業によって小粒子の土が残る。さらにその土ふるい３３の網目を通過した土は、ホルダー１０から落下して、地面や床上にふるい落とされるのである。【００２４】  本発明は以上のように構成されたもので、金属製丸棒または幅狭の金属製帯板を用いてホルダー１０およびスタンド２０を製造し、その両者と所望数の土ふるい３０をセットして水平状にふるうのみで、一度の作業で土ふるいの数プラス１種類の粒度の土をふるい分けることが可能となっている。
【図面の簡単な説明】
【００２５】
【図１】本発明の実施例１の園芸用土ふるい具を組立てた状態の斜視図である。
【図２】実施例１のホルダーの形状を示す斜視図である。
【図３】実施例１のスタンドの形状を示す斜視図である。
【図４】本発明の使用状態を示す一部切欠正面図である。
【図５】実施例２のホルダーの形状を示す斜視図である。
【図６】実施例３のスタンドの形状を示す斜視図である。
【符号の説明】
【００２６】  １０      ホルダー
１１      本体部
１１ａ    上縁リング
１１ｂ    下縁リング
１１ｃ    底
１２      保持部材
１２ａ    土ふるい受け部
１３      ハンドル
２０      スタンド
２１      台座
２１ａ    台座フレーム
２１ａ′  横フレーム
２１ｂ    連結フレーム
２１ｃ    補強フレーム
２１ｄ    脱落防止フレーム
２２      ガイドフレーム
３０      ３個の土ふるい
３１，３２，３３    土ふるい
【図１】
2007105711.tif 000003
【図２】
2007105711.tif 000004
【図３】
2007105711.tif 000005
【図４】
2007105711.tif 000006
【図５】
2007105711.tif 000007
【図６】
2007105711.tif 000008